(57)【要約】      （修正有）【課題】超電導・高分子セラミック・トルマリン石・ヨークのコイル加工を特異的な配列により、磁力線・遠赤外線・電気エネルギーを発生させ水道管内の水質を改善させる。【解決手段】上記目的を達成させるため、水道管８へコイルを本体ケース６の長さほど巻きつける。本体ケース６内へ超電導磁石２と高分子セラミック４とトルマリン石３を交互に配列させ、超電導磁石は、同極どおし対向させる。さらに、本体ケース６と各物質との間にヨーク１にコイルを巻きつけて、上記課題を解決する。【選択図】図１
0003103544.tif 000002
【実用新案登録請求の範囲】
【請求項１】
水道管８へ、コイルを密着させ本体ケース６の長さほど軸方向へ巻き込む。本体ケース６に装着された超電導磁石２を同極どうし対向させ軸方向へ配列させる。隣り合う超電導磁石２と２の間にはトルマリン石３と、従来のセラミックよりも氷を急速に溶かす作用を有する高分子セラミック４を接触状態で介在させて、超電導磁石２・トルマリン石３と高分子セラミック４という風に交互に配列させる。さらに、本体ケース６と各超電導磁石２とトルマリン石３、そして、高分子セラミック４との間に、ヨーク１にコイルを巻きつけたものを接触状態で密着させ、それを囲むように本体ケース３で包囲して一体化させたことを特徴とする磁気活性イオン水生成器。
【考案の詳細な説明】
【技術分野】
【０００１】
この考案は、水道管などのパイプ内を流れる水などに磁気および遠赤外線さらに微弱電気エネルギーを与え、その水質を改善する器具に属する。
【背景技術】
【０００２】
従来、水道水などの水質を改善する器具として、活性炭でろ過させる方式や電気分解によって水分子を分解させる方法などが知られている。最近では、磁石を利用して、磁力線を作用させて水質の改善を図る器具が実用化されている。しかし、これらの器具機械は、長期の使用が難しくまた、磁力線についても、磁石の強さを示す「ガウス」の低いものや、リング状の内側を使用するものは、減磁作用があり、水質改善の効果に欠ける問題があった。
【考案の開示】
【考案が解決しようとする課題】
【０００３】
上記目的を達成するために、この考案の磁気活性イオン水生成器の構成は、水道水などの配管に、コイルを束状に密着させ巻き込み磁力線を均等に作用させるように補助する。
【０００４】
その上から、同極を向かい合うように配列させた超電導磁石と隣り合う超電導磁石との間には、トルマリン石と高分子セラミックを交互に介在させその外側には、ヨークにコイルを巻きつけた磁性版を形成しその外側を、本体ケースで包囲して、ケース内に一体化させ固定させた。
【０００５】
この考案によると、超電導磁石より放出された磁力線は水道管内の中空筒内へ集中的に作用し、水分子集団（クラスター）を小さくさせることができるこのことにより、水は、従来に比べ、溶解力・浸透力が高まり、吸収力の高い水になることが確認されている。更にこの考案では、高分子セラミックを使用することで、遠赤外線を放出させることで、水に溶け込んでいるミネラルなどをイオン化が促進されるばかりでなく、冬期水道管の凍結防止の役割をも果たす。さらに、トルマリン石の電気エネルギーの力により、それらの効果を長時間持続させ、水質をより有効かつ強力に改善できる。
【課題を解決するための手段】
【０００６】
本考案は、本来水道管内の中空洞に対し均等に作用していないこと。さらに水道管に巻かれている凍結防止剤を取り除きその間に装着せるため、冬期の凍結により、水道管が破裂する恐れがあった。
【考案の効果】
【０００７】
そこで本考案はその水道管とヨークに、コイルを束状に密着させて軸方向に巻き込んでその上から超電導磁石を作用させることで、均等にかつ安定した磁力線を水道管内中空洞内に放出させることを可能にしている。
【０００８】
さらに、高分子セラミックを装着させることで、その遠赤外線効果により、冬期の水道管の凍結を強力の防止する。
【考案を実施するための最良の形態】
【０００９】
平成１０年１０月１０日に市販のグラジオラスの水栽培用球根を使用し、１．水道水２．アルカリイオン水・３．本考案磁気活性イオン水生成器にて室温２０度の室内にて育成比較実研を開始した。それぞれ週１回の水の交換をした。
【００１０】
１０月２０日、２．アルカリイオン水が先に値が張ってきた。３．磁気活性イオン水生成器が続いて根を張り。１．水道水はまだ根を張らない。
１１月４日、３．磁気活性イオン水が急激に根を伸ばし芽を出してきた。２．アルカリイオン水は根を張るスピードが鈍ってきた。１．水道水は、まだ水栽培カップのそ底まで根を張っていない。
【００１１】
１１月２０日、３．磁気活性イオン水生成器は、茎が太く根もしつかり張りもう開花間近である。２．アルカリイオン水は茎も成長は早いものの、少し細い。３．水道水は茎が少し伸びてきたが、根を張らない。
【００１２】
上記のごとく、短期間ではあるものの、本考案である磁気活性イオン水生成器は、優れた成長作用があることが確認された。
【００１３】
平成10年11月16日に高分子セラミックの氷の解凍実験では、従来の水道配管用凍結防止剤と従来のセラミックを対象区として、その解凍力の比較を行った。解凍される氷の試料の大きさは、それぞれ、３センチ方形を使用した。
【００１４】
その結果、高分子セラミックは約１分間で、解凍し、その他は、外気温度により、６分で溶けた。その結果からも急速に氷を溶かす作用が確認されたことで、冬期の水道管の凍結防止に役立つことが証明できる。
【００１５】
本発明の磁気活性イオン水生成器に通過させた水溶液の微生物除去検査を行い顕著な効果を確認した。
【００１６】
実験に使用した検査機器は、東亜電波社製ＡＴＰ微生物測定器「ＡＦ−７０」を使用し、原水は愛媛県越智郡弓削町内の井戸水を検体とした。その結果は下記のとおりである。
検査日  ：  平成１０年１１月２０日
検  体  ：  愛媛県越智郡弓削町内井戸水取水５００ｃｃ中の微生物ＡＴＰ
水  温  ：  ９度
試験品  ：  本発明磁気活性イオン水生成器通過後取水５００ｃｃ中の微生
物ＡＴＰ
検査機器：  東亜電波工業株式会社製  ＡＴＰ微生物測定器「ＡＦ−７０」
【００１７】
実験結果によると、別表−１のように原水量毎分１０リッターの時の残存微生物ＡＴＰ数５，９２０の場合、本発明品処理すると残存微生物ＡＴＰ数が、１２０に減少した。同じく、原水量２０リッターの場合も、ＡＴＰ数５，７６０が、１００に減少。さらに、原水量３０リッターの場合も、ＡＴＰ数５，７６９が、１０３に減少した。このことから、本発明品にて微生物混入水を通過処理させる事により、微生物の減少が顕著に確認されたため、水質の除菌効果と安全性示された。
【表１】
0003103544.tif 000003
【図面の簡単な説明】
【００１８】
【図１】本考案の磁気活性イオン水生成器を示した断面図である。６．本体ケース内に２．超電導磁石、３．トルマリン石、４．高分子セラミックを接触状態で交互に配列させている。８．の水道管がわに１．ヨークに５．コイルを巻きつけたものを２．超電導磁石３．トルマリン石４．高分子セラミックに接触させている。さらに、８．水道水には、５．コイルを巻きつける。７．ボルト止め具は、６．本体ケースを対向させたときに密着させるために設ける。
【図２】本考案の磁気活性イオン水生成器外観及び挿入様式の図面である。本発明の磁気活性イオン水生成器を設置した場合の外観及び挿入状態を表す。８．水道管に本発明の磁気活性イオン水生成器を、挟み込んだ図面である。
【図３】本考案の磁気活性イオン水生成器の側面断面図である。６．ケース内の上部に、２．超電導磁石、３．トルマリン石、４．高分子セラミックを並列で配置している。また、その下部の左右に１．ヨークに５．コイルを巻きつけ並行に挿入される。
【符号の説明】
【００１９】
１．ヨーク
２．超電導磁石
３．トルマリン石
４．高分子セラミック
５．コイル
６．本体ケース
７．ボルト止め具
８．水道管
【図１】
0003103544.tif 000004
【図２】
0003103544.tif 000005
【図３】
0003103544.tif 000006
【手続補正書】
【提出日】平成16年4月8日(2004.4.8)
【手続補正１】
【補正対象書類名】実用新案登録請求の範囲
【補正対象項目名】請求項１
【補正方法】変更
【補正の内容】
【請求項１】
水道管８へ、コイルを密着させ本体ケース６の長さほど軸方向へ巻き込み、
本体ケース６に装着された超電導磁石２を同極どうし対向させ軸方向へ配列させ、
隣り合う超電導磁石２と２の間にはトルマリン石３と、従来のセラミックよりも氷を急速に溶かす作用を有する高分子セラミック４を接触状態で介在させて、超電導磁石２・トルマリン石３と高分子セラミック４というふうに交互に配列させ、
さらに、本体ケース６と各超電導磁石２とトルマリン石３、そして、高分子セラミック４との間に、ヨーク１にコイルを巻きつけたものを接触状態で密着させ、それを囲むように本体ケース３で包囲して一体化させたことを特徴とする磁気活性イオン水生成器。